(57)【特許請求の範囲】
【請求項１】
枠体内部に対して水平開閉自在に支持される面材を備えた建具であって、
前記面材は、閉鎖方向の先端側に設けられる第１縦辺部と、この第１縦辺部と交差する第１横辺部とを有して構成され、この面材が閉鎖する際に当接する前記枠体または他の面材は、前記第１縦辺部と対向する第２縦辺部を有して構成され、
前記面材において、前記第１横辺部には、前記枠体に当接可能または摺接可能な第１横気密材が設けられ、前記第１縦辺部と第１横辺部とが交差する交差位置には、前記第１横気密材に接続される面材側気密材が設けられ、
前記枠体または他の面材において、前記第２縦辺部の端部にて前記交差位置と対向する対向位置には、前記面材の閉鎖時に前記面材側気密材と当接可能な対向側気密材が設けられ、
前記面材側気密材は、前記面材の見込み方向かつ前記第１横辺部の長手方向に沿って延びるとともに互いに上下方向で離隔して設けられた複数の面材側突片と、これらの面材側突片における前記対向位置側の先端よりも後退して当該面材側突片間に渡って設けられる面材側壁部とを有して形成され、前記面材側突片が前記第１横気密材と連続して前記枠体に当接可能または摺接可能に設けられ、
前記対向側気密材は、前記面材側突片と略平行に延びるとともに互いに上下方向に離隔して設けられた複数の対向側突片と、これらの対向側突片における前記面材側の先端よりも後退して当該対向側突片間に渡って設けられる対向側壁部とを有して形成されている建具。
【請求項２】
前記面材の閉鎖状態において、前記面材側突片の先端が前記対向側壁部に当接可能に設けられるとともに、前記対向側突片の先端が前記面材側壁部に当接可能に設けられている請求項１に記載の建具。
【請求項３】
前記第１縦辺部には前記第２縦辺部に当接可能な縦気密材が設けられ、この縦気密材が前記面材側気密材に当接され、
前記面材側気密材には、前記第１縦辺部の長手方向に沿って延びるとともに前記対向位置側に向かって突出した面材側第２突片が形成され、この面材側第２突片の一端部が前記縦気密材に当接されるとともに、当該面材側第２突片と前記面材側突片との前記対向位置側の先端が略同一位置に設けられている請求項１または請求項２に記載の建具。
【請求項４】
前記対向側気密材には、前記面材側第２突片と略平行に延びるとともに前記面材の閉鎖状態において前記面材側第２突片と当接可能な対向側第２突片が形成され、この対向側第２突片と前記対向側突片との前記面材側の先端が略同一位置に設けられている請求項３に記載の建具。
【請求項５】
前記第１横気密材が前記複数の面材側突片間に挿入されている請求項１から請求項４のいずれかに記載の建具。
【請求項６】
前記第１横気密材は、前記面材における前記第１横辺部に沿って形成された溝状の気密材保持部に取り付けられており、この気密材保持部の端縁から挿入されて前記面材側気密材が取り付けられている請求項１から請求項５のいずれかに記載の建具。
【請求項７】
前記第２縦辺部を有する部位は、枠体内部に対して水平開閉自在に支持される前記他方の面材であり、この他方の面材は、前記第２縦辺部と交差する第２横辺部を有し、この交差位置が前記対向位置であり、
前記第２横辺部には、前記枠体に当接可能または摺接可能な第２横気密材が設けられ、この第２横気密材が前記複数の対向側突片間に挿入されて前記対向側気密材に接続されている請求項１から請求項６のいずれかに記載の建具。
【発明の詳細な説明】
【技術分野】
【０００１】
本発明は、建具に関し、詳しくは、枠体内部に開閉自在に支持される少なくとも１枚の面材を備えた建具に関する。
【背景技術】
【０００２】
従来、一対の障子（突合せ障子）が枠体内部の同一面内で開閉される引分け窓などの建具において、互いの縦框同士を突き合わせて閉鎖される障子の突合せ部における気密構造が提案されている（例えば、特許文献１参照）。この気密構造では、突合せ部における気密性の弱点となりやすい縦框の上下端部、つまり縦框と上框や下框との交差位置に気密ピースが取り付けられ、この気密ピースと縦框に沿った縦気密材および上下框に沿った横気密材とが接続されている。このような特許文献１記載の気密構造は、障子を突き合わせて閉鎖した際に、対向する気密ピース同士を当接させることで、縦框の上下端部が気密性の弱点となりにくくしようとするものである。
【先行技術文献】
【特許文献】
【０００３】
【特許文献１】実開昭５６−５７３９１号公報
【発明の概要】
【発明が解決しようとする課題】
【０００４】
しかしながら、前記特許文献１に記載された従来の気密構造では、互いに当接させようとする気密ピースの当接部分が互いに対向した平面で構成されているために、障子の建て込み精度の誤差や互いに突き合わせた際の引き寄せ力の誤差などの諸要因によって、突合せ部における縦框同士の距離が変動した場合に、気密ピースの当接部分同士の間に隙間が形成されてしまう可能性があり、十分な気密性能が確保できないという問題がある。
【０００５】
本発明の目的は、気密性能を十分に高めることができる気密構造を備えた建具を提供することにある。
【課題を解決するための手段】
【０００６】
本発明の建具は、枠体内部に対して水平開閉自在に支持される面材を備えた建具であって、前記面材は、閉鎖方向の先端側に設けられる第１縦辺部と、この第１縦辺部と交差する第１横辺部とを有して構成され、この面材が閉鎖する際に当接する前記枠体または他の面材は、前記第１縦辺部と対向する第２縦辺部を有して構成され、前記面材において、前記第１横辺部には、前記枠体に当接可能または摺接可能な第１横気密材が設けられ、前記第１縦辺部と第１横辺部とが交差する交差位置には、前記第１横気密材に接続される面材側気密材が設けられ、前記枠体または他の面材において、前記第２縦辺部の端部にて前記交差位置と対向する対向位置には、前記面材の閉鎖時に前記面材側気密材と当接可能な対向側気密材が設けられ、前記面材側気密材は、前記面材の見込み方向かつ前記第１横辺部の長手方向に沿って延びるとともに互いに上下方向で離隔して設けられた複数の面材側突片と、これらの面材側突片における前記対向位置側の先端よりも後退して当該面材側突片間に渡って設けられる面材側壁部とを有して形成され、前記面材側突片が前記第１横気密材と連続して前記枠体に当接可能または摺接可能に設けられ、前記対向側気密材は、前記面材側突片と略平行に延びるとともに互いに上下方向に離隔して設けられた複数の対向側突片と、これらの対向側突片における前記面材側の先端よりも後退して当該対向側突片間に渡って設けられる対向側壁部とを有して形成されていることを特徴とする。
【０００７】
ここで、本発明の建具としては、従来のような引分け窓に限らず、例えば、４枚建ての引違い窓のように、４枚中２枚の面材が見込み方向の同一平面内で開閉されて互いの側端縁（辺部）を突き合わせて閉鎖されるものでもよいし、折れ戸のように、互いに回動自在に連結された一対の面材が同一平面内で互いの側端縁（辺部）を近接させて閉鎖されるものでもよい。また、本発明の建具は、面材同士が互いの端縁（辺部）が近接して閉鎖されるものに限らず、面材の端縁（辺部）が枠体に近接して閉鎖されるものでもよいし、さらに、面材が左右に開閉移動可能に設けられたものに限らず、室内外方向に回動開閉可能に設けられたものでもよい。
【０００８】
以上の本発明によれば、面材における第１横辺部の第１横気密材を交差位置にて面材側気密材に接続するとともに、この面材側気密材を枠体または他の面材に設けた対向側気密材に当接させることで、面材の閉鎖状態における交差位置での気密性を確保することができる。さらに、面材側気密材の面材側突片と対向側気密材の対向側突片とが互いの先端同士が上下方向で重なり合うことが可能となっていることで、面材の建て込み精度の誤差などに起因して閉鎖状態における面材の交差位置と枠体または他の面材の対向位置とが設定値よりも互いに離れる方向に位置ずれした場合においても、面材側気密材および対向側気密材の突片同士の重なり代によって誤差を吸収して、それらの当接状態を良好に維持させて気密性能の向上を図ることができる。
【０００９】
この際、本発明の建具では、前記面材の閉鎖状態において、前記面材側突片の先端が前記対向側壁部に当接可能に設けられるとともに、前記対向側突片の先端が前記面材側壁部に当接可能に設けられていることが好ましい。
このような構成によれば、面材側気密材および対向側気密材の各突片を互いの壁部に当接させることで、面材の建て込み精度の誤差などに起因して交差位置と対向位置とが設定値よりも面材の第１縦辺部に沿った方向などに位置ずれし、面材側気密材および対向側気密材の突片同士が直接当接しない状態となった場合においても、互いの突片を相手側の壁部に当接させることにより気密状態が維持されて気密性能を確保することができる。
【００１０】
さらに、本発明の建具では、前記第１縦辺部には前記第２縦辺部に当接可能な縦気密材が設けられ、この縦気密材が前記面材側気密材に当接され、前記面材側気密材には、前記第１縦辺部の長手方向に沿って延びるとともに前記対向位置側に向かって突出した面材側第２突片が形成され、この面材側第２突片の一端部が前記縦気密材に当接されるとともに、当該面材側第２突片と前記面材側突片との前記対向位置側の先端が略同一位置に設けられていることが好ましい。
このような構成によれば、面材側気密材に形成した面材側第２突片の一端部を縦気密材に当接させるとともに、面材側第２突片の先端を面材側突片と同一位置まで延ばして形成することで、この面材側第２突片を対向位置側の所定部位に対して均一に当接させることができ、面材側突片と対向側突片との当接に加えて、面材側第２突片による気密性能の向上を図ることができる。
【００１１】
この際、本発明の建具では、前記対向側気密材には、前記面材側第２突片と略平行に延びるとともに前記面材の閉鎖状態において前記面材側第２突片と当接可能な対向側第２突片が形成され、この対向側第２突片と前記対向側突片との前記面材側の先端が略同一位置に設けられていることが好ましい。
このような構成によれば、前記面材側気密材の面材側第２突片と同様の対向側第２突片を対向側気密材に形成し、これらの第２突片同士を当接させることで、さらなる気密性能の向上を図ることができる。さらに、交差位置と対向位置とが設定値よりも面材の第１縦辺部に沿った方向に位置ずれした場合であっても、その方向に沿って各第２突片が形成されているので、各第２突片によって位置ずれを吸収して当接状態を維持することができるので、建て込み誤差等による気密性能の低下を防止することができる。
【００１２】
また、本発明の建具では、前記第１横気密材が前記複数の面材側突片間に挿入されていることが好ましい。
このような構成によれば、第１横気密材を複数の面材側突片の間に挿入することで、これらの接続状態を良好に維持することができ、気密性能を確保することができる。
【００１３】
さらに、本発明の建具では、前記第１横気密材は、前記面材における前記第１横辺部に沿って形成された溝状の気密材保持部に取り付けられており、この気密材保持部の端縁から挿入されて前記面材側気密材が取り付けられていることが好ましい。
このような構成によれば、第１横気密材と面材側気密材とがともに同一の気密材保持部に保持されることから、第１横気密材と面材側気密材との連続性を高めて、これらの接続状態をさらに良好に維持することができる。
【００１４】
さらに、本発明の建具では、前記第２縦辺部を有する部位は、枠体内部に対して水平開閉自在に支持される前記他方の面材であり、この他方の面材は、前記第２縦辺部と交差する第２横辺部を有し、この交差位置が前記対向位置であり、前記第２横辺部には、前記枠体に当接可能または摺接可能な第２横気密材が設けられ、この第２横気密材が前記複数の対向側突片間に挿入されて前記対向側気密材に接続されていることが好ましい。
このような構成によれば、第２横辺部の第２横気密材を対向位置にて対向側気密材と接続するとともに、この対向側気密材を面材側気密材に当接させることで、他方の面材の閉鎖状態における対向位置での気密性を確保することができる。また、第２横気密材を複数の面材側突片の間に挿入することで、これらの接続状態を良好に維持することができ、気密性能を確保することができる。
【図面の簡単な説明】
【００１５】
【図１】本発明の実施形態に係る建具を示す縦断面図である。
【図２】前記建具を示す横断面図である。
【図３】前記建具に設けられる一対の面材を拡大して示す斜視図である。
【図４】前記一対の面材の一部を拡大して示す横断面図である。
【図５】前記面材の一部を拡大して示す斜視図である。
【図６】前記面材に設けられる端部部材を示す斜視図である。
【図７】前記端部部材に設けられる気密材を示す斜視図である。
【図８】前記気密材の機能を説明する正面図である。
【図９】前記気密材の他の機能を説明する正面図である。
【発明を実施するための形態】
【００１６】
以下、本発明の一実施形態を図面に基づいて説明する。
図１および図２において、実施形態に係る建具としての４枚建ての引違い窓１は、上枠２、下枠３および左右の縦枠４を四周枠組みした枠体としての窓枠５と、この窓枠５の内部に開閉自在に支持される４枚の障子６，７，８，９と、これらの障子６，７，８，９よりも屋外側にて窓枠５に支持される２枚の網戸１０とを備えて構成されている。４枚の障子６，７，８，９は、窓枠５内の見込み方向屋内寄りの同一平面内に左右対称に支持される屋内側の障子６，７と、窓枠５内の見込み方向屋外寄りの同一平面内に左右対称に支持される屋外側の障子８，９とで構成されている。屋内側の障子６，７は、上框１１、下框１２および左右の縦框１３，１４を四周框組みした内部にガラスパネル（複層ガラス）１５を嵌め込んで構成されている。屋外側の障子８，９は、上框１６、下框１７および左右の縦框１８，１９を四周框組みした内部にガラスパネル（複層ガラス）２０を嵌め込んで構成されている。
【００１７】
上枠２は、それぞれ下方に開口して凹溝状に形成された屋内側障子支持部２Ａおよび屋外側障子支持部２Ｂと、これらを仕切って下方に延びる中間仕切片２Ｃとを有して形成されている。そして、屋内側障子支持部２Ａに屋内側の障子６，７の上端縁が当該上枠２の長手方向に摺動可能かつ見込み方向に移動不能に支持され、屋外側障子支持部２Ｂに屋外側の障子８，９の上端縁が当該上枠２の長手方向に摺動可能かつ見込み方向に移動不能に支持されている。
下枠３は、それぞれ下枠３の長手方向に沿って延びる屋内側下レール３Ａおよび屋外側下レール３Ｂと、これらの間すなわち下枠３の見込み方向中間位置にて各レール３Ａ，３Ｂと平行に延びる中間仕切片３Ｃとを有して形成されている。そして、屋内側下レール３Ａに戸車（不図示）が案内されて屋内側の障子６，７が当該下枠３の長手方向に移動可能に支持され、屋外側下レール３Ｂに戸車（不図示）が案内されて屋外側の障子８，９が当該下枠３の長手方向に移動可能に支持されている。
縦枠４は、見付け方向内方に開口した屋外側障子支持部４Ａを有して形成され、この屋外側障子支持部４Ａに閉じた屋外側の障子８，９の戸先側の縦框（戸先框）１８が引き寄せられて見込み方向に移動不能に支持されるようになっている。
【００１８】
以上のように窓枠５に支持された各障子６，７，８，９は、図２に示すように、屋外側の障子８，９がそれぞれ左右の縦枠４に当接し、これらの障子８，９の縦框（外召合せ框）１９にそれぞれ屋内側の障子６，７の縦框（内召合せ框）１３が見込み方向に重なって係合するとともに、屋内側の障子６，７の各縦框（戸先框）１４同士が互いに突き合わされて当接することで、引違い窓１が閉鎖されるようになっている。すなわち、本実施形態では、互いに当接して閉じる屋内側の一対の障子６，７のうち、障子７によって面材が構成され、障子６によって他の面材が構成されている。
【００１９】
障子６，７において、上框１１は、図３にも示すように、アルミ形材製で屋外側に位置する上框本体１１Ａと、この上框本体１１Ａの屋内側に係合して固定される樹脂製の上框屋内部材１１Ｂとを有して構成され、下框１２は、アルミ形材製で屋外側に位置する下框本体１２Ａと、この下框本体１２Ａの屋内側に係合して固定される樹脂製の下框屋内部材１２Ｂとを有して構成されている。上框本体１１Ａの屋外側上端縁には、屋外側に向かって開口した凹溝状の気密材保持部１１１が形成され、この気密材保持部１１１には、モヘア１１２が左右に連続して取り付けられている。このモヘア１１２は、図１に示すように、上枠２の中間仕切片２Ｃに屋内側から当接可能であり、さらに障子６，７の開閉に伴って中間仕切片２Ｃに摺接するように構成されている。下框本体１２Ａの屋外側下端縁には、屋外側に向かって開口した凹溝状の気密材保持部１２１が形成され、この気密材保持部１２１には、モヘア１２２が左右に連続して取り付けられている。このモヘア１２２は、図１に示すように、下枠３の中間仕切片３Ｃに屋内側から当接可能であり、さらに障子６，７の開閉に伴って中間仕切片３Ｃに摺接するように構成されている。
【００２０】
縦框１３，１４は、図２〜図４にも示すように、アルミ形材製で屋外側に位置する縦框本体１３Ａ，１４Ａと、この縦框本体１３Ａ，１４Ａの屋内側に係合して固定される樹脂製の縦框屋内部材１３Ｂ，１４Ｂとを有して構成されている。
縦框１４の縦框本体１４Ａは、縦框中空部１４１と、この縦框中空部１４１の屋外側側面を形成する屋外見付け面部１４２と、障子６，７間で互いに対向する側面を構成する屋外見込み面部１４３とを有して形成されている。縦框屋内部材１４Ｂは、縦框１４の屋内側側面を形成する屋内見付け面部１４４と、この屋内見付け面部１４４から折れ曲がって屋外見込み面部１４３まで延びる屋内見込み面部１４５とを有して形成されている。また、図４に示すように、障子６の縦框１４において、縦框本体１４Ａには、屋外見付け面部１４２に連続して障子７に向かって延びる第１延出面部１４６が形成され、縦框屋内部材１４Ｂには、屋内見込み面部１４５の屋外側端部から障子７に向かって延びる第２延出面部１４７が形成されている。一方、障子７の縦框１４において、縦框本体１４Ａには、屋外見付け面部１４２よりも屋内側に若干後退した位置から障子６に向かって延びる第３延出面部１４８が形成され、縦框屋内部材１４Ｂには、屋内見込み面部１４５の屋外側端部から障子６に向かって延びる第４延出面部１４９が形成されている。
【００２１】
以上の縦框１４において、図３に示すように、上端部には、端部部材２１が縦框中空部１４１に圧入されて取り付けられ、下端部には、摺動部材２２が縦框中空部１４１に圧入されて取り付けられている。端部部材２１には、上框１１の気密材保持部１１１に連続する気密材保持部２１１が形成され、この気密材保持部２１１にまで延びてモヘア１１２が取り付けられている。また、摺動部材２２には、下框１２の気密材保持部１２１に連続する気密材保持部２２１が形成され、この気密材保持部２２１にまで延びてモヘア１２２が取り付けられている。
また、図４にも示すように、障子６の縦框１４における第１延出面部１４６の基端部側かつ屋内側側面には、第３延出面部１４８の先端に当接可能な縦気密材２３が上下に連続して取り付けられ、第２延出面部１４７の先端部には、第４延出面部１４９の先端に当接可能かつ弾性変形可能な折返し片１４７Ａが上下に連続して形成されている。さらに、障子７の縦框１４における第３延出面部１４８の基端部屋外側側面には、第１延出面部１４６の先端に当接可能な縦気密材２４が上下に連続して取り付けられている。
【００２２】
以下、本実施形態における障子６，７の突合せ部における気密構造について、図５〜図９も参照して詳しく説明する。
ここで、面材である障子７の縦框１４によって本発明の第１縦辺部が構成され、この第１縦辺部に沿って縦気密材２４が取り付けられている。また、障子７の上框１１および下框１２によって第１横辺部が構成されるとともに、障子７の上下端部における端部部材２１の上端縁および摺動部材２２の下端縁によっても第１横辺部が構成され、これらの第１横辺部に沿って第１横気密材としてのモヘア１１２，１２２が連続して設けられている。そして、障子７において、縦框１４と上框１１とが交差する交差位置である縦框１４の上端部の端部部材２１と、縦框１４と下框１２とが交差する交差位置である縦框１４の下端部の摺動部材２２とには、それぞれ面材側気密材としての角部気密材３０が取り付けられ、この角部気密材３０が縦気密材２４および上下のモヘア１１２，１２２と接続されている。
【００２３】
一方、他方の面材である障子６の縦框１４によって本発明の第２縦辺部が構成され、この第２縦辺部に沿って縦気密材２３が取り付けられている。また、障子６の上框１１および下框１２によって第２横辺部が構成されるとともに、障子６の上下端部における端部部材２１の上端縁および摺動部材２２の下端縁によっても第２横辺部が構成され、これらの第２横辺部に沿って第２横気密材としてのモヘア１１２，１２２が連続して設けられている。そして、障子６における対向位置としての端部部材２１および摺動部材２２には、対向側気密材としての角部気密材３０が取り付けられ、この角部気密材３０が縦気密材２３および上下のモヘア１１２，１２２と接続されている。すなわち、本実施形態においては、障子６，７のいずれにも共通部材からなる角部気密材３０が設けられ、互いに対向して設けられる角部気密材３０同士が当接可能に構成されている。なお、以下では、障子７における縦框１４の下端部に設けられる角部気密材３０について説明することとし、他の３つの角部気密材３０の説明を省略するが、これらの角部気密材３０は、全て同様の構成および機能を備えている。
【００２４】
角部気密材３０は、図５〜図７にも示すように、ゴムや軟質樹脂等から形成された一体成形部品であって、摺動部材２２の気密材保持部２２１に取り付けられている。ここで、摺動部材２２は、樹脂製の一体成形部材であって、縦框１４の縦框中空部１４１に圧入される圧入部２２２と、屋内側下レール３Ａを受け入れる凹溝部２２３とを有し、気密材保持部２２１の端縁２２４が縦框１４の屋外見付け面部１４２の端縁と略同一位置に揃って取り付けられている。また、摺動部材２２の気密材保持部２２１には、端縁２２４から所定距離だけ内部側に係合孔２２５が上下２箇所（図６では、上側の１箇所のみ表示）に形成され、これらの係合孔２２５によって角部気密材３０が係合されて取り付けられるようになっている。
【００２５】
角部気密材３０は、上下に延びた角柱状に形成されるとともに気密材保持部２２１の端縁２２４に当接して当該端縁２２４を覆う気密材本体部３１と、この気密材本体部３１から延びて気密材保持部２２１の内部に圧入される気密材圧入部３２と、この気密材圧入部３２から見込み方向屋外側に延びる上下一対（２枚）の面材側突片（対向側突片）としての気密材突片３３と、気密材本体部３１から見込み方向屋外側に延びるとともに２枚の気密材突片３３間に渡って設けられる面材側壁部（対向側壁部）としての気密材壁部３４と、気密材本体部３１に沿って上下に延びるとともに他方の面材である障子６側に突出する面材側第２突片（対向側第２突片）としての気密材第２突片３５とを有して形成されている。気密材圧入部３２には、気密材突片３３と反対側にて気密材保持部２２１の内壁に摺接可能な２本の突条３６と、当該気密材圧入部３２を見込み方向に貫通する貫通孔３７と、当該気密材圧入部３２の上下に突出して係合孔２２５に係合可能な２つの係合突起３８とが形成され、この気密材圧入部３２の先端縁３２Ａ（気密材保持部２２１の内部側端縁）よりも気密材突片３３が気密材保持部２２１の内部側に長く延びて形成されている。
【００２６】
このような角部気密材３０は、図６に示すように、気密材圧入部３２の先端縁３２Ａ側から気密材保持部２２１に圧入され、この圧入に際して、係合突起３８が上下から押圧されて貫通孔３７側に後退するとともに、突条３６が気密材保持部２２１の内壁に摺接することで、圧入抵抗が抑制されるようになっている。そして、気密材圧入部３２をさらに気密材保持部２２１に圧入して係合突起３８を係合孔２２５に係合させることで、角部気密材３０が摺動部材２２つまり縦框１４の下端部に取り付けられる。この取付状態において、図５に示すように、気密材本体部３１および気密材第２突片３５の上端部に縦気密材２４の下端縁が当接し、２枚の気密材突片３３間にモヘア１２２の端縁が挿入されて当接して設けられており、すなわち角部気密材３０を介して縦気密材２４とモヘア１２２とが連続して設けられるようになっている。ここで、角部気密材３０の気密材圧入部３２の先端縁３２Ａが２枚の気密材突片３３よりも気密材保持部２２１の端縁２２４側に位置して設けられることから、この先端縁３２Ａと気密材突片３３との段差部分にモヘア１２２のベース部が入り込み、モヘア１２２が２枚の気密材突片３３の間に挿入されるようになっている。
【００２７】
また、図８に示すように、障子６，７の閉鎖方向（対向方向であり、図８の左右方向）において、各々の角部気密材３０の２枚の気密材突片３３および気密材第２突片３５は、閉鎖基準線Ｌ１，Ｌ２よりも他方の側に突出寸法Ａだけ突出して形成されている。この閉鎖基準線Ｌ１，Ｌ２は、障子６，７が閉じた際に互いに重なる仮想の基準位置を示しており、障子６，７の閉鎖状態において、障子６の第１延出面部１４６と当接して障子７の縦気密材２４が押圧されて潰れた際に、この縦気密材２４の端縁位置に閉鎖基準線Ｌ１，Ｌ２がほぼ重なるように設定されている。すなわち、２枚の気密材突片３３および気密材第２突片３５は、対向する他方の側の気密材突片３３および気密材第２突片３５と突出寸法Ａの２倍（２Ａ）の長さの重なり代を有して互いに当接できるようになっている。さらに、２枚の気密材突片３３の先端縁から後退して設けられる気密材壁部３４の表面位置は、閉鎖基準線Ｌ１，Ｌ２よりも後退寸法Ｂだけ閉鎖方向反対側に設けられている。この後退寸法Ｂは、突出寸法Ａと略同一か、突出寸法Ａよりも若干小さく設定されており（Ｂ≦Ａ）、従って、障子６，７の閉鎖状態において、気密材突片３３の先端縁が他方の側の気密材壁部３４の表面に当接可能に構成されている。
【００２８】
以上の角部気密材３０によれば、例えば、障子６，７の建て込み精度が悪く（あるいは、使用中にずれが生じて）障子６，７が互いに離れる方向に位置ずれして閉鎖されたような閉鎖状態であっても、気密材突片３３および気密材第２突片３５が閉鎖基準線Ｌ１，Ｌ２よりも他方の側に突出して設けられていることから、第１延出面部１４６が縦気密材２４に当接する程度の位置ずれ範囲において、互いの気密材突片３３同士および気密材第２突片３５同士の当接状態を維持することができる。また、障子６，７が見込み方向に位置ずれした場合であっても、互いに重なり合う気密材突片３３同士が各々の見込み方向幅の中で当接するとともに、気密材第２突片３５が他方の気密材本体部３１などに当接することで、角部気密材３０同士の当接状態を維持することができる。さらに、図９に示すように、障子６，７が高さ方向（上下方向）に位置ずれした場合であっても、気密材突片３３が他方の気密材突片３３間に入り込んで気密材壁部３４に当接することで、当接状態が維持できるとともに、高い側に位置する（図９では、障子６の）角部気密材３０の気密材第２突片３５が他方（図９では、障子７）の縦気密材２４（あるいは第１延出面部１４６）に当接することで、角部気密材３０の周囲に隙間ができないようになっている。
なお、障子６，７が高さ方向（上下方向）かつ障子６，７が互いに離れる方向に位置ずれした場合、つまり、図９において一方の気密材突片３３が他方の気密材壁部３４に当接しない状態で、一方の気密材突片３３と他方の気密材壁部３４、および、他方の気密材突片３３と一方の気密材壁部３４とが、ぞれぞれ離間するような状態となって上下方向に連通する場合であっても、その連通経路は左右に延びる４つの気密材突片３３と上下に伸びる２つの気密材壁部３４とによって迷路状（ジグザグ状）に構成される。よって、上下に直線的に連通する場合と比較して気密性を向上させることができる。
【００２９】
以上の実施形態によれば、障子６，７の突合せ部における上下端部にそれぞれ角部気密材３０が設けられ、これらの角部気密材３０同士が互いに当接することで、引違い窓１の気密性能を確保することができる。さらに、角部気密材３０における気密材突片３３および気密材第２突片３５の突出寸法Ａが互いの先端同士が重なり合うような長さに設定されていることで、閉鎖状態において、障子６，７が互いに離れる方向や、見込み方向、高さ方向などに位置ずれした場合においても、気密材突片３３および気密材第２突片３５の重なり代によって位置ずれを吸収することができ、角部気密材３０同士の当接状態を良好に維持して気密性能の向上を図ることができる。
【００３０】
なお、本発明は、前記実施形態に限定されるものではなく、本発明の目的を達成できる他の構成等を含み、以下に示すような変形等も本発明に含まれる。
例えば、前記実施形態においては、４枚建ての引違い窓１を例示して説明したが、本発明の建具は、引違い窓１に限らず、開閉可能な少なくとも１枚の面材（障子７）と、この面材が閉じる際に当接可能な枠体または他の面材（障子６）とを有したものであればよい。すなわち、前記実施形態の引違い窓１の４枚の障子６，７，８，９のうち、互いに縦框１４同士を突き合わせて閉じる一対の障子６，７を有する引分け窓であってもよいし、一対の障子６，７のうちの一方が窓枠に固定されていてもよい。また、障子６，７のように左右スライド開閉可能な面材に限らず、一対の面材同士が回動可能に連結された折れ戸形式の建具であってもよい。
また、面材が閉じる際に当接する対象（第２縦辺部）は、他の面材の框などに限らず、枠体の一部（縦枠４や方立、縦骨など）であってもよいし、その他の適宜な部材であってもよい。その場合には、面材が当接する対象の対向位置に設けられる対向側気密材としては、前記実施形態の角部気密材３０と同様のものでもよいし、角部気密材３０のうち少なくとも気密材突片３３および気密材第２突片３５と同様の対向側突片および対向側壁部を有した部品でもよい。
【００３１】
また、前記実施形態では、障子６，７の縦框１４の上下端部に取り付けた端部部材２１および摺動部材２２に角部気密材３０を取り付けたが、角部気密材３０の取付位置は特に限定されない。すなわち、角部気密材３０を縦框１４や上下框などに直接取り付けてもよいし、他の適宜な部材を介して取り付けてもよい。
また、前記実施形態では、縦気密材である縦気密材２４および第１横気密材であるモヘア１１２，１２２が障子７の屋外側に設けられた外タイトの気密構造を例示したが、これに限らず、気密材が面材の屋内側に設けられた内タイトの気密構造においても、それら気密材の交差部分に面材側気密材が設けられ、これと対向する対向位置に対向側気密材が設けられていればよい。
また、前記実施形態では、障子６，７の縦框１４の上下端部に角部気密材（面材側気密材）３０を設けたが、面材側気密材は、縦框１４の上端部のみに設けられてもよいし、下端部のみに設けられてもよい。
【００３２】
また、第１縦辺部には第２縦辺部に当接可能な縦気密材を設け、縦気密材を面材側気密材に当接し、面材側気密材に、第１縦辺部の長手方向に沿って延びるとともに対向位置側に向かって突出した面材側第２突片を形成し、面材側第２突片の一端部が縦気密材に当接されるとともに、面材側第２突片と面材側突片との対向位置側の先端を略同一位置に設けたが、これに限らず、第２縦辺部側に縦気密材を設けるとともに、対向側気密材側に前述の面材側第２突片に相当する部位を設けてもよい。
具体的には、第２縦辺部には第１縦辺部に当接可能な縦気密材が設けられ、縦気密材が対向側気密材に当接し、対向側気密材に、第２縦辺部の長手方向に沿って延びるとともに面材側に向かって突出した対向側第２突片を形成し、この対向側第２突片の一端部が縦気密材に当接されるとともに、対向側第２突片と対向側突片との面材側の先端を略同一位置に設けてもよい。
【００３３】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００３４】
１…引違い窓（建具）、５…窓枠（枠体）、６…障子（他の面材）、７…障子（面材）、１１…上框（第１横辺部、第２横辺部）、１２…下框（第１横辺部、第２横辺部）、１４…縦框（第１縦辺部、第２縦辺部）、２４…縦気密材、３０…角部気密材（面材側気密材、対向側気密材）、３３…気密材突片（面材側突片、対向側突片）、３４…気密材壁部（面材側壁部、対向側壁部）、３５…気密材第２突片（面材側第２突片、対向側第２突片）、１１２，１２２…モヘア（第１横気密材、第２横気密材）、２２１…気密材保持部。
【図１】
0005369075.tif 000002
【図２】
0005369075.tif 000003
【図３】
0005369075.tif 000004
【図４】
0005369075.tif 000005
【図５】
0005369075.tif 000006
【図６】
0005369075.tif 000007
【図７】
0005369075.tif 000008
【図８】
0005369075.tif 000009
【図９】
0005369075.tif 000010